(57)【特許請求の範囲】
【請求項１】
ウォッベ指数（ＷＩ）の異なる２種類の燃料ガスを燃焼可能なメインバーナと、
高ＷＩガスが供給されても低ＷＩガスが供給されても正常燃焼する両ＷＩガス用パイロットバーナと、
上記低ＷＩガスと上記高ＷＩガスとの何れか一方のガスが供給される時は正常燃焼し、他方のガスが供給される時は異常燃焼する片ＷＩガス用パイロットバーナと、
上記各パイロットバーナの燃焼状態をそれぞれ検知する２つの炎検知素子と、
上記メインバーナへのガス流路を遮断した状態で上記各パイロットバーナに点火し、上記２つの炎検知素子により検知した信号に応じて、該メインバーナへの燃料ガス供給流量を切り替える流量切替手段と
を備えたことを特徴とするガス燃焼器具。
【請求項２】
ウォッベ指数（ＷＩ）の異なる２種類の燃料ガスを燃焼可能なメインバーナと、
高ＷＩガスが供給される時は正常燃焼し、低ＷＩガスが供給される時は異常燃焼する高ＷＩガス用パイロットバーナと、
上記低ＷＩガスが供給される時は正常燃焼し、上記高ＷＩガスが供給される時は異常燃焼する低ＷＩガス用パイロットバーナと、
上記各パイロットバーナの燃焼状態をそれぞれ検知する２つの炎検知素子と、
上記メインバーナへのガス流路を遮断した状態で上記各パイロットバーナに点火し、上記２つの炎検知素子により検知した信号に応じて、該メインバーナへの燃料ガス供給流量を切り替える流量切替手段と
を備えたことを特徴とするガス燃焼器具。
【請求項３】
上記片ＷＩガス用パイロットバーナを、上記低ＷＩガスが供給される時は正常燃焼し、上記高ＷＩガスが供給される時は異常燃焼する低ＷＩガス用パイロットバーナで構成すると共に、
上記メインバーナへの燃料ガス供給路として設けられる第１ガス供給路及び第２ガス供給路と、
上記第１ガス供給路中に設けられ、点火操作により開弁されると共に、上記両ＷＩガス用パイロットバーナに備えられた上記炎検知素子からの正常燃焼信号で開弁保持される第１電磁弁と、
上記第２ガス供給路中に設けられ、点火操作により開弁されると共に、上記低ＷＩガス用パイロットバーナに備えられた上記炎検知素子からの正常燃焼信号で開弁保持される第２電磁弁と、
上記第１ガス供給路中で第１電磁弁より下流に設けられ、点火操作時のみ閉弁する第１一時閉鎖弁と、
上記第２ガス供給路中で第２電磁弁より下流に設けられ、点火操作時のみ閉弁する第２一時閉鎖弁と
を備えたことを特徴とする請求項１記載のガス燃焼器具。
【請求項４】
上記メインバーナへの燃料ガス供給路として設けられる第１ガス供給路及び第２ガス供給路と、
上記第１ガス供給路中に設けられ、点火操作により開弁されると共に、上記高ＷＩガス用パイロットバーナに備えられた上記炎検知素子からの正常燃焼信号で開弁保持される第１電磁弁と、
上記第２ガス供給路中に設けられ、点火操作により開弁されると共に、上記低ＷＩガス用パイロットバーナに備えられた上記炎検知素子からの正常燃焼信号で開弁保持される第２電磁弁と、
上記第１ガス供給路中で第１電磁弁より下流に設けられ、点火操作時のみ閉弁する第１一時閉鎖弁と、
上記第２ガス供給路中で第２電磁弁より下流に設けられ、点火操作時のみ閉弁する第２一時閉鎖弁と
を備えたことを特徴とする請求項２記載のガス燃焼器具。
【請求項５】
上記高または両ＷＩガス用パイロットバーナへのガス供給管を、上記第１電磁弁と上記第１一時閉鎖弁との間のガス流路に設け、上記低ＷＩガス用パイロットバーナへのガス供給管を、上記第２電磁弁と上記第２一時閉鎖弁との間のガス流路に設けたことを特徴とする請求項３または４記載のガス燃焼器具。
【請求項６】
上記炎検知素子に熱電対を用いて、該熱電対から発生する起電力で上記電磁弁を開弁保持することを特徴とする請求項５記載のガス燃焼器具。
【請求項７】
上記２つの炎検知素子と上記第１，第２電磁弁とで上記メインバーナの立ち消え安全装置を構成したことを特徴とする請求項６記載のガス燃焼器具。
【請求項８】
上記低ＷＩガスはジメチルエーテル、上記高ＷＩガスはＬＰガスであることを特徴とする請求項１〜７の何れかに記載の家庭用ガス燃焼器具。
【発明の詳細な説明】
【０００１】
【発明の属する技術分野】
本発明はウォッベ指数の異なる燃料ガスを燃焼可能なガス燃焼器具に関する。
【０００２】
【従来の技術】
現在、家庭用ガス燃焼器具へ供給するガス種としては、主に都市ガスとＬＰガス（プロパンを主成分とした液化石油ガスで、以下、ＬＰＧと呼ぶ）とが知られているが、ＬＰＧはやや高価である。そこで、最近、安価なジメチルエーテル（以下、ＤＭＥと呼ぶ）をＬＰＧの代替燃料として使用することが検討されている。
また、ＤＭＥの供給は現在のところ十分なものではないので、常にＤＭＥを使い続けることができる保障もなく、ＤＭＥの供給が滞った場合には、ＬＰＧを使う必要があり、今後ＬＰＧをＤＭＥに置き換えるようにしても、当面の間はＤＭＥとＬＰＧとの並行使用をすることも考えられている。
【０００３】
【発明が解決しようとする課題】
しかしながら、ＤＭＥとＬＰＧとはウォッベ指数（以下、ＷＩと呼ぶ）が大幅に異なるため、ＬＰＧ用の燃焼器具にそのままＤＭＥを供給すると、単位時間当たりの発熱量（インプット）が大幅に変化して燃焼器具の燃焼や出力などの特性が悪化してしまうので、供給ガスがＤＭＥかＬＰＧかを判別する必要がある。
そこで、本発明のガス燃焼器具は上記課題を解決し、燃料ガスの種類に応じた仕様に自動的に切り替わるガス燃焼器具を提供することを目的とする。
【０００４】
【課題を解決するための手段】
上記課題を解決する本発明の請求項１記載のガス燃焼器具は、
ウォッベ指数（ＷＩ）の異なる２種類の燃料ガスを燃焼可能なメインバーナと、
高ＷＩガスが供給されても低ＷＩガスが供給されても正常燃焼する両ＷＩガス用パイロットバーナと、
上記低ＷＩガスと上記高ＷＩガスとの何れか一方のガスが供給される時は正常燃焼し、他方のガスが供給される時は異常燃焼する片ＷＩガス用パイロットバーナと、
上記各パイロットバーナの燃焼状態をそれぞれ検知する２つの炎検知素子と、
上記メインバーナへのガス流路を遮断した状態で上記各パイロットバーナに点火し、上記２つの炎検知素子により検知した信号に応じて、該メインバーナへの燃料ガス供給流量を切り替える流量切替手段と
を備えたことを要旨とする。
【０００５】
また、本発明の請求項２記載のガス燃焼器具は、
ウォッベ指数（ＷＩ）の異なる２種類の燃料ガスを燃焼可能なメインバーナと、
高ＷＩガスが供給される時は正常燃焼し、低ＷＩガスが供給される時は異常燃焼する高ＷＩガス用パイロットバーナと、
上記低ＷＩガスが供給される時は正常燃焼し、上記高ＷＩガスが供給される時は異常燃焼する低ＷＩガス用パイロットバーナと、
上記各パイロットバーナの燃焼状態をそれぞれ検知する２つの炎検知素子と、
上記メインバーナへのガス流路を遮断した状態で上記各パイロットバーナに点火し、上記２つの炎検知素子により検知した信号に応じて、該メインバーナへの燃料ガス供給流量を切り替える流量切替手段と
を備えたことを要旨とする。
【０００６】
また、本発明の請求項３記載のガス燃焼器具は、上記請求項１記載のガス燃焼器具において、
上記片ＷＩガス用パイロットバーナを、低ＷＩガスが供給される時は正常燃焼し、高ＷＩガスが供給される時は異常燃焼する低ＷＩガス用パイロットバーナで構成すると共に、
上記メインバーナへの燃料ガス供給路として設けられる第１ガス供給路及び第２ガス供給路と、
上記第１ガス供給路中に設けられ、点火操作により開弁されると共に、上記両ＷＩガス用パイロットバーナに備えられた上記炎検知素子からの正常燃焼信号で開弁保持される第１電磁弁と、
上記第２ガス供給路中に設けられ、点火操作により開弁されると共に、上記低ＷＩガス用パイロットバーナに備えられた上記炎検知素子からの正常燃焼信号で開弁保持される第２電磁弁と、
上記第１ガス供給路中で第１電磁弁より下流に設けられ、点火操作時のみ閉弁する第１一時閉鎖弁と、
上記第２ガス供給路中で第２電磁弁より下流に設けられ、点火操作時のみ閉弁する第２一時閉鎖弁と
を備えたことを要旨とする。
【０００７】
また、本発明の請求項４記載のガス燃焼器具は、上記請求項２記載のガス燃焼器具において、
上記メインバーナへの燃料ガス供給路として設けられる第１ガス供給路及び第２ガス供給路と、
上記第１ガス供給路中に設けられ、点火操作により開弁されると共に、上記高ＷＩガス用パイロットバーナに備えられた上記炎検知素子からの正常燃焼信号で開弁保持される第１電磁弁と、
上記第２ガス供給路中に設けられ、点火操作により開弁されると共に、上記低ＷＩガス用パイロットバーナに備えられた上記炎検知素子からの正常燃焼信号で開弁保持される第２電磁弁と、
上記第１ガス供給路中で第１電磁弁より下流に設けられ、点火操作時のみ閉弁する第１一時閉鎖弁と、
上記第２ガス供給路中で第２電磁弁より下流に設けられ、点火操作時のみ閉弁する第２一時閉鎖弁と
を備えたことを要旨とする。
【０００８】
また、本発明の請求項５記載のガス燃焼器具は、上記請求項３または４記載のガス燃焼器具において、
上記高または両ＷＩガス用パイロットバーナへのガス供給管を、上記第１電磁弁と上記第１一時閉鎖弁との間のガス流路に設け、上記低ＷＩガス用パイロットバーナへのガス供給管を、上記第２電磁弁と上記第２一時閉鎖弁との間のガス流路に設けたことを要旨とする。
【０００９】
また、本発明の請求項６記載のガス燃焼器具は、上記請求項５記載のガス燃焼器具において、
上記炎検知素子に熱電対を用いて、該熱電対から発生する起電力で上記電磁弁を開弁保持することを要旨とする。
【００１０】
また、本発明の請求項７記載のガス燃焼器具は、上記請求項６記載のガス燃焼器具において、
上記２つの炎検知素子と上記第１，第２電磁弁とで上記メインバーナの立ち消え安全装置を構成したことを要旨とする。
【００１１】
また、本発明の請求項８記載のガス燃焼器具は、上記請求項１〜７の何れかに記載のガス燃焼器具において、
上記低ＷＩガスはジメチルエーテル、上記高ＷＩガスはＬＰガスであることを要旨とする。
【００１２】
上記構成を有する本発明の請求項１記載のガス燃焼器具は、メインバーナを燃焼させる前に２つのパイロットバーナに点火し、このパイロットバーナの燃焼状態を２つの炎検知素子でそれぞれ検知してガス種を判別する。
例えば、片ＷＩガス用パイロットバーナを、低ＷＩガスでは正常燃焼し高ＷＩガスでは異常燃焼するように構成した場合においては、低ＷＩガスが供給される場合では、片ＷＩガス用パイロットバーナと両ＷＩガス用パイロットバーナの両方とも正常燃焼し、一方、高ＷＩガスが供給される場合では、片ＷＩガス用パイロットバーナが異常燃焼すると共に、両ＷＩガス用パイロットバーナが正常燃焼する。
逆に、片ＷＩガス用パイロットバーナを、高ＷＩガスでは正常燃焼し低ＷＩガスでは異常燃焼するように構成した場合においては、高ＷＩガスが供給される場合では、片ＷＩガス用パイロットバーナと両ＷＩガス用パイロットバーナの両方とも正常燃焼し、一方、低ＷＩガスが供給される場合では、片ＷＩガス用パイロットバーナが異常燃焼すると共に、両ＷＩガス用パイロットバーナが正常燃焼する。
従って、２つのパイロットバーナの燃焼状態を検知することで供給された燃料ガスの種類が判別される。流量切替手段は、このガス種判別に応じてメインバーナへのガス供給流量を切り替える。この結果、燃料ガスのＷＩの大きさに関係なく同一能力（インプット）でメインバーナを燃焼させることができる。
【００１３】
また、本発明の請求項２記載のガス燃焼器具は、メインバーナを燃焼させる前に２つのパイロットバーナに点火し、このパイロットバーナの燃焼状態を２つの炎検知素子でそれぞれ検知してガス種を判別する。
低ＷＩガスが供給される場合には、高ＷＩガス用パイロットバーナが異常燃焼し、低ＷＩガス用パイロットバーナが正常燃焼し、一方、高ＷＩガスが供給される場合には、低ＷＩガス用パイロットバーナが異常燃焼し、高ＷＩガス用パイロットバーナが正常燃焼する。
従って、２つのパイロットバーナの燃焼状態を検知することで供給された燃料ガスの種類が判別される。流量切替手段は、このガス種判別に応じてメインバーナへのガス供給流量を切り替える。この結果、燃料ガスのＷＩの大きさに関係なく同一能力（インプット）でメインバーナを燃焼させることができる。
【００１４】
また、本発明の請求項３記載のガス燃焼器具は、点火操作により第１電磁弁と第２電磁弁とを開弁すると共に、これらの下流に設けられた第１一時閉鎖弁と第２一時閉鎖弁とを閉弁する。従って、点火操作中にはメインバーナへ燃料ガスが供給されない。
この燃料ガスが低ＷＩガスである場合には、低ＷＩガス用パイロットバーナと両ＷＩガス用パイロットバーナの両方とも正常燃焼し、それらに備えられた各炎検知素子が両方とも正常燃焼信号を出力する。そして、点火操作後、第１電磁弁と第２電磁弁の両方が開弁保持されると共に、第１一時閉鎖弁と第２一時閉鎖弁とが開弁され、燃料ガスは、第１ガス供給路と第２ガス供給路の両方からメインバーナへ噴出する。
一方、この燃料ガスが高ＷＩガスである場合には、両ＷＩガス用パイロットバーナのみ正常燃焼してその炎検知素子が正常燃焼信号を出力する。そして、点火操作後、第１電磁弁が開弁保持され第２電磁弁が閉弁されると共に、第１一時閉鎖弁と第２一時閉鎖弁とが開弁され、燃料ガスは、第１ガス供給路からのみメインバーナへ噴出する。
このように、高ＷＩガスでは１つのガス供給路からガスを供給することに対して、低ＷＩガスでは２つのガス供給路からガスを供給してガス流量を自動的に増加させる。これらのガス流量をそれぞれのガス種に対応させることにより、燃料ガスのＷＩの大きさに関係なく同一能力でメインバーナを燃焼させることができる。
【００１５】
また、本発明の請求項４記載のガス燃焼器具は、点火操作により第１電磁弁と第２電磁弁とを開弁すると共に、これらの下流に設けられた第１一時閉鎖弁と第２一時閉鎖弁とを閉弁する。従って、点火操作中にはメインバーナへ燃料ガスが供給されない。
この燃料ガスが低ＷＩガスである場合には、高ＷＩガス用パイロットバーナが異常燃焼して炎検知素子が異常燃焼信号を出力し、低ＷＩガス用パイロットバーナが正常燃焼して炎検知素子が正常燃焼信号を出力する。そして、点火操作後、第２電磁弁が開弁保持され第１電磁弁が閉弁されると共に、第１一時閉鎖弁と第２一時閉鎖弁とが開弁され、燃料ガスは、第２ガス供給路からのみメインバーナへ噴出する。
一方、この燃料ガスが高ＷＩガスである場合には、高ＷＩガス用パイロットバーナのみ正常燃焼してその炎検知素子が正常燃焼信号を出力する。そして、点火操作後、第１電磁弁が開弁保持され第２電磁弁が閉弁されると共に、第１一時閉鎖弁と第２一時閉鎖弁とが開弁され、燃料ガスは、第１ガス供給路からのみメインバーナへ噴出する。
このように、高ＷＩガスでは第１ガス供給路からのみガスを供給し、低ＷＩガスでは第２ガス供給路からのみガスを供給する。これらのガス流量をそれぞれのガス種に対応させることにより、燃料ガスのＷＩの大きさに関係なく同一能力でメインバーナを燃焼させることができる。
【００１６】
また、本発明の請求項５記載のガス燃焼器具は、パイロットバーナが異常燃焼する場合に、そのパイロットバーナに対応する電磁弁が閉弁し、異常燃焼したパイロットバーナを消火させる。このように、電磁弁でパイロットバーナの開閉弁を兼用する。
【００１７】
また、本発明の請求項６記載のガス燃焼器具は、正常燃焼しているパイロットバーナでは、熱電対から発生した所定の起電力により電磁弁が開弁保持され、一方、異常燃焼しているパイロットバーナでは、熱電対から所定の起電力が得られないため、電磁弁が閉弁される。
このように、供給ガス種に対して適切な電磁弁のみ、熱電対回路により機械的に開弁保持する。
【００１８】
また、本発明の請求項７記載のガス燃焼器具は、メインバーナとパイロットバーナの燃焼中に何らかの原因で立ち消えした場合に、熱電対の起電力が低下してメインバーナとパイロットバーナへのガス供給流路を遮断する。従って、ガス種に応じた流路切替と立ち消え安全機能とを兼用する。
【００１９】
また、本発明の請求項８記載のガス燃焼器具は、ＤＭＥとＬＰＧとを判別して供給ガス流量を調整する。ＤＭＥは、ＬＰＧと同様にガスボンベに液化封入して供給できるため、ＬＰＧの代替燃料として使うことができる。こうしたＤＭＥとＬＰＧとを切り替えて適切なガス量で並行使用することができる。
【００２０】
【発明の実施の形態】
以上説明した本発明の構成・作用を一層明らかにするために、以下本発明のガス燃焼器具の好適な実施形態について説明する。
【００２１】
《第１実施形態》
本発明の第１実施形態としてのテーブルこんろについて図１〜図４を用いて説明する。
テーブルこんろには、燃料ガスのＷＩの大きさに関係なくＤＭＥでもＬＰＧでも燃焼するメインバーナ１０と、メインバーナ１０の近傍に設けられ低ＷＩガス（つまり、ＤＭＥ）のみ正常に燃焼する低ＷＩパイロットバーナ２０と、メインバーナ１０の近傍に設けられ高ＷＩガス（ＬＰＧ）でも低ＷＩガス（ＤＭＥ）でも正常に燃焼する両ＷＩパイロットバーナ４０とが設けられる。
尚、各パイロットバーナのこうした異なる燃焼状態は、ガス供給流量，空気流量，炎口形状等により調整されるものである。
【００２２】
メインバーナ１０へ燃料ガスを供給するガス流路は、上流から順に、器具の燃料ガス入口管となる主ガス管６１，点火操作により主ガス管６１を開くメイン弁部７０，メイン弁部７０から分岐する第１ガス分岐管６２，第２ガス分岐管６３を備える。
【００２３】
この第１ガス分岐管６２には、後述する低ＷＩ弁部２１が接続され、低ＷＩ弁部２１から低ＷＩパイロットバーナ２０へのガス供給路として低ＷＩパイロットガス管６４が、メインバーナ１０へのガス供給路として第１メインガス管６６が設けられる。この第１メインガス管６６には、メインバーナ１０へのガス流量を規制する低ＷＩノズル２２が接続される。
【００２４】
一方、第２ガス分岐管６３には、後述する両ＷＩ弁部４１が接続され、両ＷＩ弁部４１から両ＷＩパイロットバーナ４０へのガス供給路として両ＷＩパイロットガス管６５が、メインバーナ１０へのガス供給路として第２メインガス管６７が設けられる。この第２メインガス管６７には、メインバーナ１０へのガス流量を規制する両ＷＩノズル４２が接続される。
【００２５】
メイン弁部７０，低ＷＩ弁部２１，両ＷＩ弁部４１には、図示しないプッシュプッシュ型操作ボタンの点火・消火操作に連動して進退する（図中、上方向）３つに分岐した操作軸７１ａ，７１ｂ，７１ｃがそれぞれ挿入され、これらの操作軸７１にはメイン弁体７１ｄ，低ＷＩ一時閉鎖弁（第２一時閉鎖弁）７１ｅ，両ＷＩ一時閉鎖弁（第１一時閉鎖弁）７１ｆが形成される。
【００２６】
メイン弁部７０は、メイン弁体７１ｄと、メイン弁部７０に固定されメイン弁体７１ｄと接離するメイン弁受７２と、メイン弁体７１ｄを閉弁方向（後退方向）に付勢する戻しバネ７３とを備える。
この操作ボタンには周知のハートカム機構が設けられ、操作ボタンを押し切ると、操作軸７１が消火位置（図１中のａ）から点火位置（図１中のｂ）へ前進するのに伴って、メイン弁受７２に当接していたメイン弁体７１ｄも前進する。
【００２７】
そして操作ボタンから手が離されると、操作軸７１が燃焼位置（図２中のｃ）へ若干後退し、メイン弁体７１ｄも後退し開弁状態を保持する。
再度、操作ボタンを押し切ると、操作軸７１およびメイン弁体７１ｄが再び前進し、操作ボタンから手が離されると後退して元の位置（図１，２中のａ）へ戻り、メイン弁体７１ｄは、メイン弁受７２に当接して閉弁する。
【００２８】
低ＷＩ弁部２１は、上流側の第１ガス分岐管６２と下流側の第１メインガス管６６との間で低ＷＩ弁部２１の内部空間を仕切る低ＷＩ弁受２３と、低ＷＩ弁受２３の下流側でガス流路を開閉する低ＷＩ一時閉鎖弁７１ｅと、低ＷＩ弁受２３の上流側でガス流路を開閉する低ＷＩ電磁弁（第２電磁弁）２４とを備える。
この低ＷＩ弁受２３には、低ＷＩ一時閉鎖弁７１ｅと低ＷＩ電磁弁２４との間に形成されるメイン通路２３ａと低ＷＩパイロットガス管６４とを連通するパイロット通路２３ｂが形成される。
【００２９】
また、低ＷＩ電磁弁２４は、操作軸７１ｂにより押されて移動する低ＷＩ電磁弁体２５と、電磁弁体２５を吸着する低ＷＩ電磁石２６と、低ＷＩ電磁弁体２５を閉弁方向に付勢する戻しバネ２７とを備える。低ＷＩ電磁石２６を巻回するコイル２６ａには、低ＷＩパイロットバーナ２０の火炎状態を検知する低ＷＩ熱電対２８が接続され、低ＷＩ熱電対２８の起電力によって低ＷＩ電磁石２６が低ＷＩ電磁弁体２５を吸着する構成となっている。
【００３０】
両ＷＩ弁部４１も低ＷＩ弁部２１と同じ構成をしており、上流側の第２ガス分岐管６３と下流側の第２メインガス管６７との間で両ＷＩ弁部４１の内部空間を仕切る両ＷＩ弁受４３と、両ＷＩ弁受４３の下流側でガス流路を開閉する両ＷＩ一時閉鎖弁７１ｆと、両ＷＩ弁受４３の上流側でガス流路を開閉する両ＷＩ電磁弁（第１電磁弁）４４とを備える。
この両ＷＩ受４３には、両ＷＩ一時閉鎖弁７１ｆと両ＷＩ電磁弁４４との間に形成されるメイン通路４３ａと両ＷＩパイロットガス管６５とを連通するパイロット通路４３ｂが形成される。
【００３１】
また、両ＷＩ電磁弁４４は、操作軸７１ｃにより押されて移動する両ＷＩ電磁弁体４５と、電磁弁体４５を吸着する両ＷＩ電磁石４６と、両ＷＩ電磁弁体４５を閉弁方向に付勢する戻しバネ４７とを備える。両ＷＩ電磁石４６を巻回するコイル４６ａには、両ＷＩパイロットバーナ４０の火炎状態を検知する両ＷＩ熱電対４８が接続され、両ＷＩ熱電対４８の起電力によって両ＷＩ電磁石４６が両ＷＩ電磁弁体４５を吸着する構成となっている。
【００３２】
メインバーナ１０へのガス流量を規制する低ＷＩノズル２２は、ＬＰＧが両ＷＩノズル４２から供給される時のインプットと、ＤＭＥが両ＷＩノズル４２と低ＷＩノズル２２とから供給される時のインプットとが等しくなるようにノズル径が決められている。
つまり、インプットがノズル径φを２乗したものとＷＩとに比例することから、ＬＰＧとＤＭＥとで同一インプットにするためには次式が成り立つようにすればよい。
【００３３】
φ422ＷＩLPG＝（φ422＋φ222）ＷＩDME  …式（１）
尚、φ42：両ＷＩノズル４２のノズル径、φ22：低ＷＩノズル２２のノズル径、ＷＩLPG：ＬＰＧ（ここでは純プロパン）のＷＩで１９，０００ｋｃａｌ／Ｎｍ3、ＷＩDME：ＤＭＥのＷＩで１２，４２０ｋｃａｌ／Ｎｍ3。
式（１）を変形して、
φ22／φ42＝｛（ＷＩLPG／ＷＩDME）−１｝1/2  …式（２）
【００３４】
式（２）に数値を代入してφ22／φ42＝０．７３となることから、低ＷＩノズル２２のノズル径φ22を両ＷＩノズル４２のノズル径φ42の０．７３倍の大きさにすると、インプットを等しくすることができる。
例えば、両ＷＩノズル４２のノズル径φ42を０．８３ｍｍとした場合には、低ＷＩノズル２２のノズル径φ22を０．６１ｍｍとすればよい。
【００３５】
上述のように構成された点火消火機構を持つテーブルこんろでは、操作ボタンを押すと、操作軸７１が図１中の矢印Ｆの方向に前進し、メイン弁体７１ｄが戻しバネ７３の付勢力に抗しながらメイン弁受７２から離れてメイン弁部７０を開弁すると共に、低，両ＷＩ一時閉鎖弁７１ｅ，７１ｆが低，両ＷＩ弁受２３，４３に当接して、メインバーナ１０用の第６，７ガス管６６，６７へのガス流路を閉鎖する。
【００３６】
これと同時に、操作軸７１ｂ，７１ｃは、低，両ＷＩ電磁弁体２５，４５を前進させて、低，両ＷＩパイロットバーナ２０，４０用の第４，５ガス管６４，６５へのガス流路を開くと共に、低，両ＷＩ電磁弁体２５，４５を低，両ＷＩ電磁石２６，４６に当接させる。
この点火操作により、燃料ガスは、低，両ＷＩパイロットバーナ２０，４０へ流れて、図示しないイグナイタにより点火される。
【００３７】
燃料ガスがＬＰＧ（高ＷＩガス）の場合では、両ＷＩパイロットバーナ４０が正常に燃焼し、両ＷＩ熱電対４８が所定レベル以上の起電力を発生して、両ＷＩ電磁石４６が両ＷＩ電磁弁体４５を吸着して両ＷＩ電磁弁４４を開弁保持する。
これに対して、低ＷＩパイロットバーナ２０では、火炎がリフトし、低ＷＩ熱電対２８が発生する起電力が所定レベル未満となるため、低ＷＩ電磁石２６が低ＷＩ電磁弁体２５を吸着することができない。
【００３８】
従って、点火操作後、操作ボタンから手が離されると、図２に示されるように、メイン弁部７０の開弁状態を維持したまま操作軸７１は所定位置まで後退すると共に、低，両ＷＩ一時閉鎖弁７１ｅ，７１ｆが低，両ＷＩ弁受２３，４３から離れるように後退して、メインバーナ１０用の第６，７ガス管６６，６７へのガス流路を開く。
【００３９】
これと同時に、操作軸７１ｂ，７１ｃは、低，両ＷＩ電磁弁体２５，４５への付勢を解除して離れる。従って、低ＷＩ電磁石２６に吸着されていない低ＷＩ電磁弁体２５は、戻しバネ２７により後退して低ＷＩ弁受２３に当接し、低ＷＩパイロットバーナ２０へのガス流路と低ＷＩノズル２２へのガス流路とを閉じる。
つまり、低ＷＩ電磁弁２４を閉弁し、両ＷＩ電磁弁４４を開弁保持する。
【００４０】
このようにして、両ＷＩパイロットバーナ４０は、点火操作後も燃焼を継続すると共に、メインバーナ１０は、両ＷＩノズル４２からのみ燃料ガスが供給され、両ＷＩパイロットバーナ４０から火移りして点火され燃焼する。この時、低ＷＩパイロットバーナ２０は消火される。
【００４１】
一方、燃料ガスがＤＭＥ（低ＷＩガス）の場合では、図３に示されるように、低，両ＷＩパイロットバーナ２０，４０の両方が正常に燃焼し、低，両ＷＩ電磁弁２４，４４を開弁保持する。
従って、点火操作後、操作ボタンから手が離されると、図４に示されるように、メイン弁部７０の開弁状態を維持したまま操作軸７１が後退して、メインバーナ１０用の第６，７ガス管６６，６７へのガス流路を開く。
【００４２】
これと同時に、低，両ＷＩ電磁弁体２５，４５は、操作軸７１ｂ，７１ｃによる開弁方向の付勢力が解除されるが、低，両ＷＩ電磁石２６，４６によってどちらも吸着されるため、開弁状態が保持される。
【００４３】
つまり、低，両ＷＩパイロットバーナ２０，４０は、点火操作後も燃焼を継続すると共に、メインバーナ１０は、低，両ＷＩノズル２２，４２の両方から燃料ガスが供給され、低，両ＷＩパイロットバーナ２０，４０から火移りして点火され燃焼する。
従って、ＤＭＥが供給される場合では、ＬＰＧの場合よりもメインバーナ１０への供給ガス流量が増加し、ＷＩが小さくても同インプットで燃焼することができる。言い換えれば、ＬＰＧが供給される時に供給ガス流量をＤＭＥよりも減らすため、インプット過多になることがなく安全に使用できる。
【００４４】
そして、点火操作後、再び操作ボタンが押し離し操作されると、操作軸７１は所定距離前進した後にプッシュプッシュ機構のロックが解除されて後退し、メイン弁部７０を閉弁して、各バーナ１０，２０，４０へのガス供給を遮断して消火する。
【００４５】
バーナ１０，２０，４０が燃焼中に立ち消えを起こすと、熱電対２８，４８の両方とも起電力が所定レベル未満となり、電磁弁２２，４４の両方とも閉弁して、バーナ１０，２０，４０へのガス流路が全て遮断されるため、生ガスが漏出することを防止する。
尚、点火時に両方のパイロットバーナが着火しない場合には、燃料ガスが適正に供給されていないとして、メインバーナのガス流路の開弁を禁止するため安全である。
【００４６】
以上説明したように、本実施形態のテーブルこんろでは、メインバーナ１０を燃焼させる前に、各パイロットバーナ２０，４０の燃焼状態からガス種を判別して、判別されたガス種に適したガス流量に自動的に調整し、メインバーナを正常に燃焼させることができるため、ＬＰＧとＤＭＥとを適宜切り替えて安全に並行使用できる。
しかも、ガス種判別後は、異常燃焼したパイロットバーナへのガス供給を遮断するため安全である。
【００４７】
また、ＤＭＥ，ＬＰＧともにガス流量が調整されて、インプットが等しい状態でメインバーナ１０を燃焼させることができ、使用者は燃料ガスを区別して使用しなくてもよく、使い勝手がよい。
また、ＬＰＧより安価なＤＭＥを適宜使用すれば、ガス料金が安価となる。
また、メインバーナ１０へのガス流量を電磁弁と熱電対回路だけで調整することができ、複雑な制御回路が不要で、しかも、メインバーナ１０の立ち消え安全装置と兼用できるため安価となる。
【００４８】
《第２実施形態》
次に、第２実施形態について図５，図６を用いて説明する。尚、第１実施形態と異なる部分について説明し、重複する部分に関しては同一符号を付してその説明を省略する。
【００４９】
第２実施形態では、メインバーナ１０の近傍に設けられ低ＷＩガス（つまり、ＤＭＥ）のみ正常に燃焼する低ＷＩパイロットバーナ２０と、メインバーナ１０の近傍に設けられ高ＷＩガス（ＬＰＧ）のみ正常に燃焼する高ＷＩパイロットバーナ５０とを備える。
尚、各パイロットバーナのこうした異なる燃焼状態は、ガス供給流量，空気流量，炎口形状等により調整されるものである。
【００５０】
また、第１メインガス管６６には、メインバーナ１０へのガス流量を規制する低ＷＩノズル３２が設けられる。この低ＷＩノズル３２は、ＬＰＧが両ＷＩノズル４２から供給される時のインプットと、ＤＭＥが低ＷＩノズル３２から供給される時のインプットとが等しくなるようにノズル径が決められている。つまり、第２実施形態の低ＷＩノズル３２は、第１実施形態の低ＷＩノズル２２よりもノズル径が大きい。
【００５１】
具体的には、
φ422ＷＩLPG＝φ322ＷＩDME  …式（３）
尚、φ32：低ＷＩノズル３２のノズル径。
式（１）を変形して、
φ32／φ42＝（ＷＩLPG／ＷＩDME）1/2  …式（４）
【００５２】
式（４）に数値を代入してφ22／φ42＝１．２４となることから、低ＷＩノズル３２のノズル径φ32を両ＷＩノズル４２のノズル径φ42の１．２４倍の大きさにすると、インプットを等しくすることができる。
例えば、両ＷＩノズル４２のノズル径φ42を０．８３ｍｍとした場合には、低ＷＩノズル３２のノズル径φ32を１．０３ｍｍとすればよい。つまり、第２実施形態のノズル径φ32は、第１実施形態の低ＷＩノズル２２のノズル径φ22（０．６１ｍｍ）の１．７倍程度となる。
【００５３】
上述のように構成された点火消火機構を持つテーブルこんろでは、操作ボタンを押すと、第１実施形態と同様に、メインバーナ１０用の第６，７ガス管６６，６７へのガス流路を閉鎖すると同時に、低，高ＷＩパイロットバーナ２０，５０用の第４，５ガス管６４，６５へのガス流路を開くと共に、低，両ＷＩ電磁弁体２５，４５を低，両ＷＩ電磁石２６，４６に当接させる。
この点火操作により、燃料ガスは、低，高ＷＩパイロットバーナ２０，５０へ流れて、図示しないイグナイタにより点火される。
【００５４】
燃料ガスがＬＰＧ（高ＷＩガス）の場合では、第１実施形態と同様に、高ＷＩパイロットバーナ５０が正常に燃焼し、低ＷＩパイロットバーナ２０が異常燃焼するため、点火操作後、操作ボタンから手が離されると、低ＷＩ電磁弁２４を閉弁し、両ＷＩ電磁弁４４を開弁保持する。
このようにして、高ＷＩパイロットバーナ５０は、点火操作後も燃焼を継続すると共に、メインバーナ１０は、両ＷＩノズル４２からのみ燃料ガスが供給され、高ＷＩパイロットバーナ５０から火移りして点火され燃焼する。この時、低ＷＩパイロットバーナ２０は消火される。
【００５５】
一方、燃料ガスがＤＭＥ（低ＷＩガス）の場合では、図５に示されるように、高ＷＩパイロットバーナ５０では火炎が伸びて異常燃焼し、低ＷＩパイロットバーナ２０では正常に燃焼するため、点火操作後、操作ボタンから手が離されると、低ＷＩ電磁弁２４を開弁保持し、両ＷＩ電磁弁４４を閉弁する。
このようにして、低ＷＩパイロットバーナ２０は、図６に示されるように、点火操作後も燃焼を継続すると共に、メインバーナ１０は、低ＷＩノズル３２からのみ燃料ガスが供給され、低ＷＩパイロットバーナ２０から火移りして点火され燃焼する。この時、高ＷＩパイロットバーナ５０は消火される。
従って、ＤＭＥとＬＰＧのどちらが供給されても、メインバーナ１０は、同インプットで燃焼することができる。
【００５６】
以上説明したように、本実施形態のテーブルこんろでは、第１実施形態の効果に加えて、低ＷＩガス（ここではＤＭＥ）が供給される場合では、メインバーナ１０の燃焼中に燃焼するパイロットバーナは１つだけであるため、つまり、低ＷＩパイロットバーナ２０のみ燃焼を継続するため、高ＷＩパイロットバーナ５０は、使用時間が短く耐久性が向上する。
【００５７】
以上本発明の実施形態について説明したが、本発明はこうした実施形態に何等限定されるものではなく、本発明の要旨を逸脱しない範囲において、種々なる態様で実施し得ることは勿論である。
例えば、熱電対２８，４８に代えてフレームロッドを用い、その電流を検知して電磁弁２４，４４の開閉制御をしてもよい。
また、熱電対の起電力で電磁弁の開弁保持をしてガス流量を切り替えることに代えて、コントローラからガス比例弁に制御信号を送ってガス流量制御を行ってもよい。
また、ノズルを２つ設けなくてもよい。例えば、第１メインガス管６６と第２メインガス管６７とを接続してその下流先端にノズルを１つ設けてもよい。
【００５８】
【発明の効果】
以上詳述したように、本発明の請求項１，２のガス燃焼器具によれば、メインバーナを燃焼させる前に、２つのパイロットバーナの燃焼状態からガス種を判別してそのガス種に適したガス供給流量に切り替えるため、ガス種に関係なくメインバーナを正常に燃焼させることができ、２種類の燃料ガスを切り替えて並行使用できて安全である。
また、燃料ガスのＷＩの大きさに関係なく同一能力でメインバーナを燃焼できて使い勝手がよい。
【００５９】
更に本発明の請求項３，４のガス燃焼器具によれば、ガス種に応じて使用するガス供給路の数を自動的に選択するという簡単な方法でガス量を調整するため、確実にメインバーナを正常に燃焼させることができて安全である。
【００６０】
更に、本発明の請求項５のガス燃焼器具によれば、パイロットバーナへのガス供給管を電磁弁と一時閉鎖弁との間のガス流路に設けたため、パイロットバーナが正常燃焼しない場合には、メインバーナへのガス供給路を遮断すると同時にパイロットバーナへのガス供給路も遮断できて安全である。
しかも、電磁弁でパイロットバーナの開閉弁を兼用することができ、部品点数が少なくなり、製造コストが安価となる。
【００６１】
更に、本発明の請求項６のガス燃焼器具によれば、２つのパイロットバーナと熱電対回路だけでメインバーナへのガス流量を調整でき、構成が簡単であるため安価となる。
【００６２】
更に、本発明の請求項７のガス燃焼器具によれば、２つの炎検知素子と第１，第２電磁弁とでメインバーナの立ち消え安全装置を構成するため、ガス種に応じた流路切替と立ち消え安全機能とを兼用できる。
【００６３】
更に、本発明の請求項８のガス燃焼器具によれば、ＬＰＧと同様にガスボンベに液化封入できるＤＭＥを将来ＬＰＧと並行使用する環境になっても、ガス種を判別してそのガス種に適した仕様に切り替えることができるため、安全に燃焼させることができる。
【図面の簡単な説明】
【図１】第１実施形態としてのガス流路部の概略構成図である。
【図２】第１実施形態としてのガス流路部の概略構成図である。
【図３】第１実施形態としてのガス流路部の概略構成図である。
【図４】第１実施形態としてのガス流路部の概略構成図である。
【図５】第２実施形態としてのガス流路部の概略構成図である。
【図６】第２実施形態としてのガス流路部の概略構成図である。
【符号の説明】
１０…メインバーナ、２０，４０，５０…低，両，高ＷＩパイロットバーナ、２１，４１…低，両ＷＩ弁部、２２，３２，４２…低，低，両ＷＩノズル、２３，４３…低，両ＷＩ弁受、２３ａ，４３ａ…メイン通路、２３ｂ，４３ｂ…パイロット通路、２４，４４…低，両ＷＩ電磁弁、２５，４５…低，両ＷＩ電磁弁体、２６，４６…低，両ＷＩ電磁石、２８，４８…低，両ＷＩ熱電対、６１〜６７…ガス管、７０…メイン弁部、７１…操作軸、７１ｅ，７１ｆ…低，両ＷＩ一時閉鎖弁。
【図１】
0004604269.tif 000002
【図２】
0004604269.tif 000003
【図３】
0004604269.tif 000004
【図４】
0004604269.tif 000005
【図５】
0004604269.tif 000006
【図６】
0004604269.tif 000007